(57)【要約】【課題】ＬＡＮ接続用コネクタに映像機器を接続したときに、繁雑な設定操作を行うこと無く自席の前方に位置する画像モニタに自動的に出力映像を表示することができる車内ＬＡＮシステムを提供する。【解決手段】運転席２の近傍に、ＩＥＥＥ１３９４シリアルバスの規格に合致したコネクタ２ａが設けられ、助手席３、右後部席４及び左後部座席５のそれぞれにも同様規格のコネクタ３ａ、４ａ、５ａが設けられ、これらがバス接続される。また、それぞれの座席の前方に運転席モニタ２ｂ、助手席モニタ３ｂ、リア（右）モニタ４ｂ、リア（左）モニタ５ｂが装備される。コネクタ２ａ、３ａ、４ａ、５ａのそれぞれには多種多様の機器を接続し得るものとなっていて、助手席３のコネクタ３ａにＤＶＤ再生機器６が接続される。コネクタ２ａ、４ａ、５ａのそれぞれに任意に機器を接続することができる。機器がどのコネクタに接続されたかを検出し、検出されたコネクタと組になって設けられた画像モニタに、出力映像を表示させるための接続を自動的に確立させる。【選択図】　　図１
2004056167.tif 000002
【特許請求の範囲】
【請求項１】
画像モニタとＬＡＮコネクタの複数組が車両内の複数座席のそれぞれに対応して設けられた車内ＬＡＮシステムにおいて、
映像機器が複数の前記ＬＡＮコネクタのいずれに接続されたかを検出し、該検出されたＬＡＮコネクタと組になって設けられた画像モニタに、前記映像機器の出力映像を表示させるための接続を確立させるように構成することを特徴とする車内ＬＡＮシステム。
【請求項２】
前記映像機器が接続された前記ＬＡＮコネクタの位置は、該システムの有するトポロジマップにアクセスして得るように構成することを特徴とする請求項１に記載の車内ＬＡＮシステム。
【請求項３】
前記映像機器が接続された前記ＬＡＮコネクタが運転席に対応した位置であり、かつ車両走行中であることを検出した場合に、前記映像機器の出力映像を表示させるための接続を確立させた画像モニタへの表示を禁止するように構成することを特徴とする請求項１または請求項２に記載の車内ＬＡＮシステム。
【請求項４】
前記運転席以外の席に対応して設けられる画像モニタに、前記映像機器の出力映像を表示させるための接続が確立されていない場合に、前記出力映像を表示させるように構成することを特徴とする請求項３に記載の車内ＬＡＮシステム。
【請求項５】
前記映像機器と１対１の接続が確立されていない前記画像モニタに、当該出力映像の配信を許可するか否かの選択をさせ得る選択メニューを表示するように構成することを特徴とする請求項１または請求項２に記載の車内ＬＡＮシステム。
【請求項６】
前記車両の走行中には、前記運転席に対応した前記ＬＡＮコネクタに接続された前記映像機器には前記選択メニューを表示させないように構成することを特徴とする請求項５に記載の車内ＬＡＮシステム。
【発明の詳細な説明】
【０００１】
【発明の属する技術分野】
本発明は、表示装置とＬＡＮコネクタの組が車両内の複数座席のそれぞれに対応して設けられた車内ＬＡＮシステムに関する。
【０００２】
【従来の技術】
一般に、動画像、静止画像、音声、文字等々のマルチメディア情報を記録したり再生するための多種多様のＡＶ機器の間で、情報を高速に通信するためのＬＡＮシステムが用いられ、その通信プロトコルの一例としてＩＥＥＥ１３９４シリアルバスが国際規格化されて広く普及している。
【０００３】
ＩＥＥＥ１３９４シリアルバスを用いたＬＡＮシステムは、当該バスに新たにノードを接続したり、ノードを切り離したりして自由にトポロジーを変更することが可能とされている。この場合、ノードの追加、もしくはノードの取り外し等に起因してノードの接続状態が変化する毎にバスリセットが発生する。バスリセットが発生すると当該バスに接続されている各ノードは接続状態を自動的に識別してトポロジーを再認識することになる。
【０００４】
その具体例を、車内ＬＡＮシステムにＩＥＥＥ１３９４シリアルバスを用いた場合について図５を用いて説明する。
【０００５】
運転席２、助手席３、右後部席４及び左後部座席５が設けられた車両９に装備される車内ＬＡＮシステムは、運転席２の近傍に、ＩＥＥＥ１３９４シリアルバスの規格に合致したコネクタ２ａが設けられ、助手席３、右後部席４及び左後部座席５のそれぞれにもコネクタ２ａと同様規格のコネクタ３ａ、４ａ、５ａが設けられ、これらがバス接続されることによって構成されている。また、それぞれの座席の前方に運転席モニタ２ｂ、助手席モニタ３ｂ、リア（右）モニタ４ｂ、リア（左）モニタ５ｂが装備され、従って、各座席のそれぞれに「モニタとコネクタ」の組が設けられることによって車内ＬＡＮシステムが構成される。
【０００６】
また、コネクタ２ａ、３ａ、４ａ、５ａのそれぞれには多種多様の機器を接続し得るものとなっていて、例えば運転席２のコネクタ２ａにＤＶＤ再生機器１０が接続され、助手席３のコネクタ３ａにＶＴＲ機器１１が接続され、左後部座席５のコネクタ５ａにパソコン機器１２が接続されている。
【０００７】
以上のような複数の映像ソース機器が接続された状態では自席の前方に位置するモニタにどの映像ソース機器の出力映像を表示させるかということを設定する必要があり、その設定は、モニタ表示に例えば図６に示すような設定画面１３を表示させ、その画面中に接続機器のメーカー名と機器型名を第１設定１４乃至第４設定１７のように一覧表示させ、いずれかを選択することによって所望の映像出力を自席の前方に位置するモニタに表示させることができ、例えば第２設定１５が選択されることによってＨＤＶ−３９０なる機器型名の出力映像を自席前方のモニタに表示させることができる。
【０００８】
コネクタ２ａ、３ａ、４ａ、５ａのいずれかに機器が新たに接続されたり機器が取り外されたりする都度に発生するバスリセットが起こる毎に表示の設定を行う必要がある。
【０００９】
【発明が解決しようとする課題】
従来の車内ＬＡＮシステムは、ＬＡＮ接続用のコネクタに機器が新たに接続されたり機器が取り外されたりする都度に発生するバスリセットが起こる毎にいずれの機器からの出力映像を表示させるかということを設定するという繁雑操作をユーザーに強いているため使い勝手に劣るという問題がある。
【００１０】
そこで、本発明の目的は、ＬＡＮ接続用のコネクタに映像機器を接続したときに、繁雑な設定操作を行うこと無く自席の前方に位置する画像モニタに自動的に出力映像を表示することができる車内ＬＡＮシステムを提供することにある。
【００１１】
【課題を解決するための手段】
前記課題を解決するために、本発明による車内ＬＡＮシステムは、次に記載するような特徴的な構成を採用している。
【００１２】
（１）画像モニタとＬＡＮコネクタの複数組が車両内の複数座席のそれぞれに対応して設けられた車内ＬＡＮシステムにおいて、
映像機器が複数の前記ＬＡＮコネクタのいずれに接続されたかを検出し、該検出されたＬＡＮコネクタと組になって設けられた画像モニタに、前記映像機器の出力映像を表示させるための接続を確立させるように構成する車内ＬＡＮシステム。
【００１３】
（２）前記映像機器が接続された前記ＬＡＮコネクタの位置は、該システムの有するトポロジマップにアクセスして得るように構成する上記（１）の車内ＬＡＮシステム。
【００１４】
（３）前記映像機器が接続された前記ＬＡＮコネクタが運転席に対応した位置であり、かつ車両走行中であることを検出した場合に、前記映像機器の出力映像を表示させるための接続を確立させた画像モニタへの表示を禁止するように構成する上記（１）または上記（２）の車内ＬＡＮシステム。
【００１５】
（４）前記運転席以外の席に対応して設けられる画像モニタに、前記映像機器の出力映像を表示させるための接続が確立されていない場合に、前記出力映像を表示させるように構成する上記（３）の車内ＬＡＮシステム。
【００１６】
（５）前記映像機器と１対１の接続が確立されていない前記画像モニタに、当該出力映像の配信を許可するか否かの選択をさせ得る選択メニューを表示するように構成する上記（１）または上記（２）の車内ＬＡＮシステム。
【００１７】
（６）前記車両の走行中には、前記運転席に対応した前記ＬＡＮコネクタに接続された前記映像機器には前記選択メニューを表示させないように構成する上記（５）の車内ＬＡＮシステム。
【００１８】
【発明の実施の形態】
以下、本発明の一実施の形態について図面を用いて詳細に説明する。先ず、構成について図１を用いて説明する。なお、本形態は、車内ＬＡＮシステムにＩＥＥＥ１３９４シリアルバスを用いた例である。
【００１９】
運転席２、助手席３、右後部席４及び左後部座席５が設けられた車両１に装備される車内ＬＡＮシステムは、運転席２の近傍に、ＩＥＥＥ１３９４シリアルバスの規格に合致したコネクタ２ａが設けられ、助手席３、右後部席４及び左後部座席５のそれぞれにもコネクタ２ａと同様規格のコネクタ３ａ、４ａ、５ａが設けられ、これらがバス接続されることによって構成されている。また、それぞれの座席の前方に運転席モニタ２ｂ、助手席モニタ３ｂ、リア（右）モニタ４ｂ、リア（左）モニタ５ｂが装備され、従って、各座席のそれぞれに「モニタとコネクタ」の組が設けられることによって車内ＬＡＮシステムが構成される。
【００２０】
また、コネクタ２ａ、３ａ、４ａ、５ａのそれぞれには多種多様の機器を接続し得るものとなっていて、例えば助手席３のコネクタ３ａにＤＶＤ再生機器６が接続され、運転席２のコネクタ２ａと、右後部席４のコネクタ４ａと、左後部座席５のコネクタ５ａのそれぞれに任意に機器を接続することができる。
【００２１】
一方、本形態の車内ＬＡＮシステムの構成は、回路的には、図２に示すように、コネクタ２ａが運転席モニタ２ｂのポートに接続され、この運転席モニタ２ｂの他ポートがリア（右）モニタ４ｂと助手席モニタ３ｂに接続され、以下同様に助手席モニタ３ｂとコネクタ４ａとリア（左）モニタ５ｂのそれぞれのポートが相互接続され、リア（右）モニタ４ｂとリア（左）モニタ５ｂのそれぞれに増設されたコネクタ７，８が接続されている。
【００２２】
従って、コネクタ２ａ、３ａ、４ａ、５ａのいずれかに新たに機器接続がなされたり、既接続されていた機器が取り外されると、図３に示すようなフローチャート動作が開始され、先ず、ステップＳ１が実行される。
【００２３】
ステップＳ１は、バスリセット発生が起きたか否かを判定するもので、起きなかった場合（Ｎｏの場合）には、ステップＳ１が再実行され、起きた場合（Ｙｅｓの場合）にとステップＳ２に進む。
【００２４】
ステップＳ２は、車内ＬＡＮシステムにおけるトポロジーマップの参照を開始するもので、次のステップＳ３にて「今、接続されたコネクタ位置は自席に最も近いか？」の判定が行われ、Ｎｏの場合には動作終了とされ、Ｙｅｓの場合にはステップＳ４に進んでＰ−Ｐ（ｐｏｉｎｔ　ｔｏ　ｐｏｉｎｔ）コネクション確立した後に動作終了とされる。
【００２５】
従って、本形態によれば、ＬＡＮ接続用コネクタに機器が新たに接続されたり機器が取り外されたりする都度に発生するバスリセットが起こる毎に、接続されたコネクタ位置は自席に最も近いかという判定動作をユーザーの手数を煩わせること無く実行し、自動的に画像モニタに表示することができるため、従来は必要であった表示設定の操作を省略することができ使い勝手に優れた車内ＬＡＮシステムを得ることができる。
【００２６】
なお、本形態は、接続されたコネクタ位置に対応する画像モニタに出力映像を表示させるものであるが、もし、運転席対応コネクタに機器が接続された場合には、安全運転のために、車両走行中は映像表示を流さないようにすることも可能である。
【００２７】
また、車両走行中に接続されたのが運転席対応コネクタであった場合には、当該の出力映像を他席（運転席以外）の前方に設けられた画像モニタに表示させるようにしてもよい。
【００２８】
更に、本形態では、機器が接続されたコネクタ位置に対応する画像モニタにのみ出力映像が表示されるように構成されているが、機器接続されたコネクタ位置に最も近い位置以外に設けられた画像モニタに、当該出力映像を自席に対応した画像モニタに表示させるかどうかの選択メニューを出すようにして、ユーザーに映像を見るかどうかの選択をさせるようにすれば、他位置の画像モニタでも映像を見られるようにできる。
【００２９】
選択メニューを助手席３の助手席モニタ３ｂに表示された例を図４に示す。即ち、助手席モニタ３ｂの表示を設定画面３ｃのようにし、「新しい機器が接続されました。その機器の映像を見られるように設定しますか？」という問い掛けを行い、その回答を選択タブ３ｄ、３ｅのいずれかで選択させることによってユーザーの好みによる選択を行うことができる。
【００３０】
この場合、もし車両走行中であれば、安全運転のために運転席対応の画像モニタには、当該の選択メニューを出さないようにすることもできる。
【００３１】
以上、本発明による車内ＬＡＮシステムの好適実施形態の構成および動作を詳述した。しかし、斯かる実施形態は、本発明の単なる例示に過ぎず、何ら本発明を限定するものではない。本発明の要旨を逸脱することなく、特定用途に応じて種々の変形変更が可能であること、当業者には容易に理解できよう。
【００３２】
【発明の効果】
以上の説明で明らかなように、本発明によれば、ＬＡＮ接続用コネクタに機器が新たに接続されたり機器が取り外されたりする都度に発生するバスリセットが起こる毎にいずれの機器からの出力映像を表示させるかということを自動的に設定することができるので、繁雑操作をユーザーに強いる事なく、使い勝手に甚だ優れた車内ＬＡＮシステムを提供することができる。
【図面の簡単な説明】
【図１】本発明の一実施の形態による車内ＬＡＮシステムの全体構成を示す図である。
【図２】図１に示される車内ＬＡＮシステムの回路構成をトポロジーマップと併せて示すブロック回路図である。
【図３】図１に示される車内ＬＡＮシステムの自動表示設定動作を説明するためのフローチャートである。
【図４】本発明の他の実施の形態による車内ＬＡＮシステムにおける選択メニューの画面表示例を示す図である。
【図５】従来の車内ＬＡＮシステムの一例の全体構成を示す図である。
【図６】図５に示される車内ＬＡＮシステムにおける入力機器設定の表示画面の一例を示す図である。
【符号の説明】
１、９　車両
２　運転席
２ａ、３ａ、４ａ、５ａ、７、８　コネクタ
２ｂ　運転席モニタ
３　助手席
３ｂ　助手席モニタ
３ｃ　設定画面
３ｄ、３ｅ　選択タブ
４　右後部席
４ｂ　リア（右）モニタ
５　左後部座席
５ｂ　リア（左）モニタ
６、１０　ＤＶＤ再生機器
１１　ＶＴＲ機器
１２　パソコン機器
１３　設定画面
１４　第１設定
１５　第２設定
１６　第３設定
１７　第４設定
【図１】
2004056167.tif 000003
【図２】
2004056167.tif 000004
【図３】
2004056167.tif 000005
【図４】
2004056167.tif 000006
【図５】
2004056167.tif 000007
【図６】
2004056167.tif 000008